(57)【要約】【課題】スクラッチオフ文書製造時のワックス被着工程をなくし、製造コスト低減及び製造装置保守簡便化を実現する。【解決手段】基材２０上に第１トナー層３０を固着させ、その上方に第２トナー層６０を配する。秘匿対象情報は第１トナー層３０によって表記し、第２トナー層６０はその秘匿対象情報を覆い隠せるよう且つ硬質物体で掻き落とせるよう形成する。第１トナー層３０と第２トナー層６０の融合を防止するため、第１トナー層３０と第２トナー層６０の間に障壁層５０を設けてもよい。基材２０上に第１トナー層３０を固着させる代わりに、事前に秘匿対象情報が印刷されている基材を用いてもよい。【選択図】図１
2007320311.tif 000002
【特許請求の範囲】
【請求項１】
基材と、
基材に固着しており秘匿対象情報表記部分を有する第１トナー層と、
第１トナー層上方にあり硬質物体で掻き落とせる第２トナー層と、
を備えるスクラッチオフ文書。
【請求項２】
請求項１記載のスクラッチオフ文書であって、
第１トナー層と第２トナー層の間に障壁層を備え、
第１トナー層のうち第２トナー層により隠される部分が秘匿対象情報表記部分に限られるよう、障壁層が第１トナー層をまた第２トナー層が障壁層を覆うスクラッチオフ文書。
【請求項３】
請求項２記載のスクラッチオフ文書であって、障壁層が紫外線硬化性被覆を含むスクラッチオフ文書。
【請求項４】
請求項１記載のスクラッチオフ文書であって、秘匿対象情報表記部分を隠す助けになる色又は模様が第２トナー層に付されたスクラッチオフ文書。
【発明の詳細な説明】
【技術分野】
【０００１】
本発明は、スクラッチオフ文書及びその製造方法に関する。
【背景技術】
【０００２】
インスタントくじ、ゲーム、商品販売促進ツール、福引き券等の分野では、何らかの情報を基材上に印刷し、更にコイン、指の爪等の物体（以下「硬質物体」と総称）で掻き落とせる素材でその上を覆ったスクラッチオフ文書が多用されている。スクラッチオフ文書を覆う素材を掻き落とすとその下に隠れている情報が露わになるので、その情報を知ることができる。
【０００３】
【特許文献１】米国特許第４５４３３１３号明細書
【特許文献２】米国特許第４８９１２９３号明細書
【特許文献３】米国特許第４９７３５３９号明細書
【特許文献４】米国特許第５１６６０２６号明細書
【特許文献５】米国特許第４９６２４７７号明細書
【特許文献６】米国特許第４９９０４２４号明細書
【特許文献７】米国特許第６４１３６９１号明細書
【特許文献８】米国特許第４２５４２０７号明細書
【特許文献９】米国特許第５１４７７４７号明細書
【特許文献１０】米国特許第５０５７３９２号明細書
【特許文献１１】米国特許第６３８３２０５号明細書
【特許文献１２】米国特許第６０１７６７１号明細書
【特許文献１３】米国特許第４３８５１０７号明細書
【特許文献１４】米国特許出願公開第２００４／０１４２２６６号明細書
【特許文献１５】米国特許第６５００５９４号明細書
【特許文献１６】米国特許第６５８２８９６号明細書
【特許文献１７】米国特許第６６０７８６４号明細書
【発明の開示】
【発明が解決しようとする課題】
【０００４】
スクラッチオフ文書にて情報秘匿に使用する素材は、通常取扱時の接触や摩擦では落ちないが硬質物体でなら容易に掻き落とせる程度の強度で、そのスクラッチオフ文書の基材に接着させておかねばならない。従来は、秘匿対象情報を秘匿乃至隠蔽できるよう印刷済文書上にワックス状被覆乃至被膜を被着させるという手法で、その条件を満たすスクラッチオフ文書を製造していたが、この手法を実施するにはワックス被着装置を付加乃至準備し使用するコスト及び保守労力が必要であった。
【０００５】
そのため、ワックス被着装置ひいてはそれに要するコスト及び保守労力が不要なスクラッチオフ文書及びその製造方法が求められていた。
【課題を解決するための手段】
【０００６】
本願においては、インスタントくじ、ゲーム、商品販売促進ツール、福引き券等に使用できる新規なスクラッチオフ文書及びその製造方法を提案する。本発明の一実施形態に係るスクラッチオフ文書は、基材と、基材に固着しており秘匿対象情報表記部分(content to be masked)を有する第１トナー層と、硬質物体で掻き落とせるよう第１トナー層上方に配置された第２トナー層と、を備える。基材への第１トナー層の固着は例えば電子写真分野で周知の融着法により行うことができ、その第１トナー層により形成される秘匿対象情報表記部分は、秘匿形態で提供したい情報例えばくじの当落を画像や語句で表記した部分である。また、本実施形態においては、第１トナー層と第２トナー層の間にオプションとして障壁層を設けることもできる。その場合、第１トナー層のうちの秘匿対象情報表記部分のみが第２トナー層によって隠されることとなるよう、第１トナー層を障壁層で覆い障壁層を第２トナー層で覆うようにすることもできる。
【０００７】
本発明の他の実施形態に係るスクラッチオフ文書は、秘匿対象情報表記部分を含む画像が予め印刷されている基材を備える。その画像は、本件技術分野における習熟者（いわゆる当業者）にとり既知の又は今後既知となる任意の手法によって印刷及び固着させておく。使用できる印刷法には例えばリソグラフィを含むオフセット印刷法、電子写真印刷法、レリーフ印刷法、スクリーン印刷法、インタリオ(intaglio)印刷法、ディジタルインクジェット印刷法、高速インクジェット印刷法、レーザ印刷法等があり、使用できる固着法には例えば融着法がある。どのような手法によるものも、本発明の技術的範囲に含まれるものとする。また、オプションとしてその画像を覆う障壁層を設け、除去可能なトナー層をその障壁層の上に固着させて秘匿対象情報表記部分を隠すようにしてもよいし、逆に、除去可能なトナー層を画像形成面に直に固着させて秘匿対象情報表記部分を隠すようにしてもよい。
【発明を実施するための最良の形態】
【０００８】
図１に、本発明の一実施形態に係るスクラッチオフ文書１０を示す。この文書１０は、紙、カードストックその他の素材により形成された基材２０上に、例えば電子写真印刷法によって第１トナー層３０を形成し、その第１トナー層３０によって基材２０の表面のうち一部又は全部を覆った構成を有している。第１トナー層３０は画像、グラフィクス、テキスト等の視覚的情報を表記する部分を含む層であり、例えば融着法によって基材２０に固着されている。融着法を用いると熔融したトナーが基材２０の内部にしみ込み容易に除去できなくなるので、第１トナー層３０は基本的にはその基材２０に永久固着された状態となっている。融着法としては、ホットローラ融着法、コールドローラ融着法、ラジアント融着法、ソルベント融着法等、いわゆる当業者にとり既知の又は今後既知となる種々の手法を使用できる。
【０００９】
図１及び図２Ａに示すように、本実施形態に係るスクラッチオフ文書１０の製造に際しては、まず第１トナー層３０により秘匿対象情報表記部分４０を形成する。秘匿対象情報表記部分４０は、そのスクラッチオフ文書１０例えばインスタントくじ、ゲーム、商品販売促進ツール、福引き券等にて秘匿乃至隠蔽する必要がある情報を、画像、グラフィクス、テキストその他によって表記した部分である。
【００１０】
次に、図１及び図２Ｂに示すように障壁層５０によって第１トナー層３０を被覆する。この障壁層５０は、本発明を実施するに当たり必須ではなく随意に設けうる層である。障壁層５０を形成する際には、基材２０に固着済の第１トナー層３０に第２トナー層６０が融合することを妨げうる素材を使用する。また、障壁層５０は、その下の第１トナー層３０を見透かすことができるよう透明又は半透明な層として形成する。障壁層５０を第１トナー層３０に固着させる手法としては、いわゆる当業者にとり既知の又は今後既知となる任意の固着法例えば融着法を使用することができる。障壁層５０は、例えば、いわゆる当業者にＵＶ（クリア）コート剤、ＵＶ（クリア）コーティング剤等としても知られている紫外線（ＵＶ）硬化性樹脂乃至ポリマによる被覆乃至被膜として、或いはそれを含む層として、形成することが可能である。但し、ＵＶ硬化性樹脂乃至ポリマでなくても、トナー又はその代わりのインクに対しコンパチブルで透明又は半透明な層を形成でき、且つ基材２０に固着している第１トナー層３０に第２トナー層６０が融合することを妨げる被覆乃至被膜を形成できる素材であれば、どのような素材によって障壁層５０を形成してもよい。
【００１１】
具体的には、Ｆｕｊｉ  Ｈｕｎｔ  Ｐｈｏｔｏｇｒａｐｈｉｃ  Ｃｈｅｍｉｃａｌｓ，  Ｉｎｃ．から入手できる商品「Ｕｌｔｒａｃｏａｔ  ＵＶ  Ｘ２  Ｇｌｏｓｓ  Ｃｏａｔｉｎｇ」等のエポキシアクリレート系ＵＶコーティング剤や、ＣｌｅａｒＳｔａｒ（登録商標）  Ｃｏａｔｉｎｇｓ  Ｃｏｒｐｓ．から入手できる商品「ＣｌｅａｒＪｅｔ」（商標）等の溶剤ベースクリアコーティング剤といった素材によって、障壁層５０を形成するとよい。
【００１２】
また、障壁層５０は、スクラッチオフ文書１０乃至その基材２０の全体を覆うように設けてもよいし、一部分乃至複数部分だけを覆うように設けてもよい。但し、障壁層５０を設ける場合、少なくとも、第１トナー層３０による秘匿対象情報表記部分４０は必ず障壁層５０によって覆われるようにする。障壁層５０は（半）透明であるので障壁層５０を介して秘匿対象情報表記部分４０を見透かすことができる。
【００１３】
更に、図１及び図２Ｃに示すように、障壁層５０の全体、一部分又は複数部分が覆われ少なくとも秘匿対象情報表記部分４０が覆い隠されるように、第２トナー層６０を形成する。この第２トナー層６０は、通常取扱時の接触や摩擦では落ちたり滲んだりしないが硬質物体でなら掻き落とせるよう、障壁層５０に固着例えば融着させる。
【００１４】
第２トナー層６０には、秘匿対象情報表記部分４０を好適に秘匿、隠蔽できるように色又は模様を付けるのが望ましい。例えば、第２トナー層６０に暗い色或いは基材２０上の第１トナー層３０と似通った色を付けると、秘匿対象情報表記部分４０を好適に秘匿、隠蔽することができる。ここで言う暗い色とは、明度及び彩度が低く入射光を僅かしか反射しない色、例えば黒色、茶色、灰色等のことである。なお、ご理解頂けようが、第２トナー層６０は秘匿対象情報表記部分４０を好適に秘匿、隠蔽できればよいので、その色を厳密にどのような色にするかは、本発明の実施にとり肝要なことではない。また、色づけに加えて又は色づけに代えて、縦縞、横縞、格子縞等、秘匿対象情報表記部分４０を秘匿、隠蔽する助けになる模様を第２トナー層６０に付けてもよい。
【００１５】
第２トナー層６０は、通常取扱時の短時間接触乃至摩擦では障壁層５０から落ちないが、硬質物体でなら障壁層５０から容易に掻き落とせる。そのスクラッチオフ文書１０の利用者は、第２トナー層６０を掻き落とし秘匿対象情報表記部分４０を露わにすることで、秘匿対象情報表記部分４０に表記されている様々な情報を得ることができる。例えばそのスクラッチオフ文書１０がインスタントくじ、ゲーム、商品販売促進ツール、福引き券等であるなら、その利用者の当落や順位、その利用者に対するゲーム内指示等の情報が得られる。
【００１６】
第１トナー層３０及び第２トナー層６０は、Ｘｅｒｏｘ（登録商標）  Ｃｏｒｐｏｒａｔｉｏｎから入手できる商品「ｉＧｅｎ３（商標）  Ｄｉｇｉｔａｌ  Ｐｒｏｄｕｃｔｉｏｎ  Ｐｒｅｓｓ−Ｂｕｌｋ  Ｔｏｎｅｒ」等、いわゆる当業者にとりなじみのある様々なトナーにより形成することができる。
【００１７】
トナー層形成に使用できる既知のトナーとしては、例えば何れもこの参照を以てその全内容を本願に繰り入れるところの特許文献１〜１７に記載のものがある。例えば、特許文献２にはサーモトロピック液晶性コポリマを含みシャープに熔融するトナーが、また特許文献３には架橋性(crosslinked)サーモトロピック液晶性ポリマを含むトナーが、それぞれ記載されている。
【００１８】
また、半結晶性(semicrystalline)樹脂を含む既知の低温固着(low fixing)トナー、例えば特許文献４に記載のトナーは、その融点が約３０〜約１００℃でヒドロキシ、カルボキシ、アミノ、アミド、アンモニウム、ハロ等の官能基を含む半結晶性コポリマ樹脂粒子例えばポリ（アルファオレフィン）コポリマ樹脂粒子と、顔料粒子とによって形成されている。同様に、特許文献５に記載のトナーは、ヒドロキシ、カルボキシ、アミノ、アミド、アンモニウム、ハロ等の官能基を含みその融点が約５０〜約１００℃の半結晶性ポリオレフィン及びそのコポリマの一種による樹脂粒子と、顔料粒子とによって形成されている。特許文献６に記載のトナーは、スチレンポリマ又はポリエステルを含む樹脂粒子と、半結晶性ポリオレフィン及びそのコポリマの一種でその融点が約５０〜約１００℃の成分との混合物によって、形成されている。報告によれば熔融温度は華氏で約２５０〜約３３０°である。
【００１９】
更に、特許文献７に記載の低温固着結晶ベーストナーは、結晶性ポリエステルを含むバインダ樹脂と、着色剤とにより形成されている。バインダ樹脂に含まれる結晶性ポリエステルは、スルホン酸基を有する二価又は三価のカルボン酸をモノマ成分として含んでいる。この結晶性樹脂は不透明であり投射効率が低いと見られる。
【００２０】
また、特許文献８には結晶ベーストナーが記載されている。特許文献９及び１０に記載の低温固着トナーは、架橋性結晶性樹脂及びアモルファスポリエステル樹脂によって形成されており、その粉体を形成するポリマ粒子は、例えば、部分カルボキシル化(partially carboxylated)結晶性ポリエステル及び部分カルボキシル化アモルファスポリエステルをエポキシノボラック樹脂及び架橋触媒の助力により高温で相互架橋することによって形成されている。
【００２１】
更に、特許文献１１〜１３に記載の事項も注目に値する。また、特許文献１４に記載のトナーは、その平均分子量が約２０００〜約３０００００ｇ／モルの側鎖性(branched)アモルファススルホン化(sulfonated)ポリエステル樹脂と、その平均分子量が約１０００〜約５００００ｇ／モルで約５０〜約１１０°の融点を呈する結晶性スルホン化ポリエステル樹脂と、着色剤とを含んでいる。ワックスを含有させてもよいとされている。
【００２２】
また、特許文献１５に記載の電子写真用現像剤は、着色剤及び結晶性樹脂を含むトナーと、窒素含有樹脂被覆を有するキャリアとを含んでいる。特許文献１５に好適例として記載されているトナーには独特のレオロジー的特性例えばある種の動的粘度特性があり、１ｒａｄ／ｓｅｃの角周波数及び３０℃の温度におけるロス弾性率Ｇ”は１×１０6Ｐａ以上、貯留弾性率Ｇ’は１×１０6Ｐａ以上である。こうした弾性特性はトナーの硬度、安定性及び熔融温度に影響を及ぼす。そして、特許文献１６及び１７にも同様のレオロジー的特性を有するトナーが記載されている。
【００２３】
図３、図４Ａ及び図４Ｂに、本発明の他の実施形態に係るスクラッチオフ文書７０を示す。このスクラッチオフ文書７０の基材８０には事前印刷により秘匿対象情報表記部分９０が形成されている。基材８０上への事前印刷による秘匿対象情報表記部分９０の形成は、例えば電子写真印刷法によって、或いはリソグラフィ等のオフセット印刷法によって、或いはレリーフ印刷法、スクリーン印刷法、インタリオ印刷法、ディジタルインクジェット印刷法、高速インクジェット印刷法、レーザ印刷法等の印刷法によって行われている。即ち、秘匿対象情報表記部分９０の印刷はいわゆる当業者にとり既知の又はこれから既知となるどのような印刷法で行ってもよく、どのような手法によって秘匿対象情報表記部分９０を形成したものも、また画像、グラフィクス、テキスト等どのような種類の秘匿対象情報表記部分９０を形成したものも、本発明の技術的範囲に含まれる。また、基材８０上への秘匿対象情報表記部分９０の融着は、ホットローラ融着法、コールドローラ融着法、ラジアント融着法、ソルベント融着法等、いわゆる当業者にとり既知の又は今後既知となる任意の手法で行うことができる。
【００２４】
基材８０上又はその上の障壁層１０５上にはトナー層１００を被着させる。トナー層１００は、硬質物体によって掻き落とせるよう、また少なくとも秘匿対象情報表記部分９０を覆い隠すよう被着させておく。秘匿対象情報表記部分９０を好適に覆い隠すには、それに適した色又は模様をトナー層１００に付けておくとよい。トナー層１００は、更に、通常取扱時の接触や摩擦等ではトナーが落ちないが硬質物体でなら掻き落とせるよう、基材８０（障壁層１０５を設けない場合）又はその上の障壁層１０５（設ける場合）に固着例えば融着させる。
【００２５】
印刷による秘匿対象情報表記部分９０の形成には、いわゆる当業者にとり既知の又は今後既知となる様々なインクやトナー、例えば本願に記載した様々なインク乃至トナーを使用することができる。使用するインク、トナーその他の素材は、十分な画質を実現でき、それでいてトナー層１００（障壁層１０５を設けない場合）又はその下の障壁層１０５（設ける場合）に対し十分な接着度を呈する素材である必要がある。例えば障壁層１０５を設けない場合、その秘匿対象情報表記部分９０を隠蔽乃至秘匿するトナー層１００に対し、通常取扱時に生じる接触や摩擦程度では落ちないが硬質物体でなら掻き落とせる程度の接着度で接着するインク、トナー等を使用する必要がある。
【００２６】
また、オプションとして障壁層１０５を設けることもできる。即ち、印刷により秘匿対象情報表記部分９０が予め形成されている基材８０を障壁層１０５で覆い、更にその上にトナー層１００を被着させるようにしてもよい。障壁層１０５は、基材８０上に事前印刷済の秘匿対象情報表記部分９０にトナー層１００が融合しないようにするための層であるので、それに適した素材によって形成する。また、障壁層１０５は、いわゆる当業者にとり既知の又は今後既知となる任意の固着法乃至融着法で基材８０に固着させる。
【００２７】
障壁層１０５は、その下の秘匿対象情報表記部分９０から秘匿対象情報を読み取れるよう透明又は半透明にしておく。障壁層１０５は、例えば、いわゆる当業者にＵＶ（クリア）コート剤、ＵＶ（クリア）コーティング剤等としても知られているＵＶ硬化性樹脂乃至ポリマによる被覆又は被膜として、或いはそれを含む層として、形成するとよい。但し、ＵＶ硬化性樹脂乃至ポリマでなくても、トナーやインクに対しコンパチブルで透明又は半透明な層を形成でき、且つ基材８０上に印刷されている秘匿対象情報表記部分９０にトナー層１００が融合することを妨げる被覆乃至被膜を形成できる素材であればどのようなものでも、障壁層１０５の形成に使用できる。
【００２８】
具体的には、Ｆｕｊｉ  Ｈｕｎｔ  Ｐｈｏｔｏｇｒａｐｈｉｃ  Ｃｈｅｍｉｃａｌｓ，  Ｉｎｃ．から入手できる商品「Ｕｌｔｒａｃｏａｔ  ＵＶ  Ｘ２  Ｇｌｏｓｓ  Ｃｏａｔｉｎｇ」等のエポキシアクリレート系ＵＶコーティング剤や、ＣｌｅａｒＳｔａｒ（登録商標）  Ｃｏａｔｉｎｇｓ  Ｃｏｒｐｓ．から入手できる商品「ＣｌｅａｒＪｅｔ」（商標）等の溶剤ベースクリアコーティング剤といった素材によって、障壁層１０５を形成するとよい。
【００２９】
また、障壁層１０５は、スクラッチオフ文書７０乃至その基材８０の全体を覆うように設けてもよいし、一部分乃至複数部分だけを覆うように設けてもよい。但し、障壁層１０５を設ける場合、少なくとも秘匿対象情報表記部分９０が障壁層１０５によって覆われるようにする。障壁層１０５は（半）透明であるので障壁層１０５を介し秘匿対象情報表記部分９０を見透かすことができる。
【００３０】
更に、トナー層１００は、通常取扱時の接触や摩擦では落ちたり滲んだりしないが硬質物体でなら掻き落とせるよう、障壁層１０５に固着例えば融着させる。
【００３１】
或いは、トナー層１００を基材８０上の秘匿対象情報表記部分９０に直に但し除去可能な形態で固着させてもよい。トナー層１００は少なくとも秘匿対象情報表記部分９０を覆い隠すように被着させる。また、専ら秘匿対象情報表記部分９０のみを覆うように障壁層１０５を形成しその上をトナー層１００で覆うようにしてもよい。更に、事前印刷済の秘匿対象情報表記部分９０を隠蔽、秘匿するのに適した色又は模様をトナー層１００に付けてもよい。
【００３２】
トナー層１００は、Ｘｅｒｏｘ（登録商標）  Ｃｏｒｐｏｒａｔｉｏｎから入手できる商品「ｉＧｅｎ３（商標）  Ｄｉｇｉｔａｌ  Ｐｒｏｄｕｃｔｉｏｎ  Ｐｒｅｓｓ−Ｂｕｌｋ  Ｔｏｎｅｒ」等、いわゆる当業者にとりなじみのある様々なトナーにより形成することができる。
【００３３】
図５に、本発明の一実施形態に係るスクラッチオフ文書製造方法２００の流れを示す。本方法２００においては、まず基材を準備し秘匿対象情報を表記するステップ２１０を実行する。基材として準備するのは紙やカードストック等の素材であり、その上に表記する秘匿対象情報は画像、グラフィクス、テキスト等視覚に訴求する情報である。基材上への秘匿対象情報の表記は、いわゆる当業者にとり既知の又は今後既知となる任意の印刷法によって行う。使用できる印刷法には電子写真印刷法、リソグラフィ等のオフセット印刷法、レリーフ印刷法、スクリーン印刷法、インタリオ印刷法、ディジタルインクジェット印刷法、高速インクジェット印刷法、レーザ印刷法等の印刷法がある。更に、ホットローラ融着法、コールドローラ融着法、ラジアント融着法、ソルベント融着法等、いわゆる当業者にとり既知の又は今後既知となる任意の手法で基材上に秘匿対象情報を固着例えば融着させる。
【００３４】
また、これは必須ではないが、本方法２００にて、秘匿対象情報表記部分上方に障壁層を被着させるステップ２２０を実行するようにしてもよい。このステップ２２０を実行するのが有益なのは、例えば秘匿対象情報表記部分を電子写真印刷法により形成してある場合である。また、この障壁層は、いわゆる当業者にとり既知の又は今後既知となる任意の手法で基材及び秘匿対象情報表記部分上に固着例えば融着させる。
【００３５】
本方法２００においては、更に、基材又はその上の障壁層の上にトナー層を被着させるステップ２３０を実行する。このステップ２３０は、被着させたトナー層が、通常取扱時の接触や摩擦程度では落ちずまた滲むこともないが硬質物体でなら掻き落とせるように実行する。そのため、好ましくはそのトナー層を基材又はその上の障壁層に固着例えば融着させる。
【００３６】
また、オプションの障壁層を形成するステップ２２０を実行した場合は、トナー層の被着先はその障壁層の上になる。障壁層を設ける場合、基材全体を覆うように設けてもよいし一部分乃至複数部分だけを覆うように設けてもよいが、少なくとも秘匿対象情報表記部分は必ず障壁層によって覆われるようにする。障壁層を設ける場合、更に、基材上の秘匿対象情報表記部分に永久的に固着するよう融着させる。
【００３７】
ステップ２２０にて被着させる障壁層は、例えばいわゆる当業者にＵＶ（クリア）コート剤、ＵＶ（クリア）コーティング剤等としても知られるＵＶ硬化性樹脂乃至ポリマによる被覆又は被膜として、或いはそれを含む層として形成するとよい。障壁層は、その障壁層を介し基材上の秘匿対象情報表記部分を見透かし容易に視認することができるよう、透明又は半透明な層として形成する。障壁層をＵＶコーティング剤により形成する場合、例えばＦｕｊｉ  Ｈｕｎｔ  Ｐｈｏｔｏｇｒａｐｈｉｃ  Ｃｈｅｍｉｃａｌｓ，  Ｉｎｃ．から入手できる商品「Ｕｌｔｒａｃｏａｔ  ＵＶ  Ｘ２  Ｇｌｏｓｓ  Ｃｏａｔｉｎｇ」等のＵＶコーティング剤を使用するとよい。
【図面の簡単な説明】
【００３８】
【図１】本発明の一実施形態に係り基材、第１トナー層、障壁層及び第２トナー層を有するスクラッチオフ文書を示す断面図である。
【図２Ａ】図１に示したスクラッチオフ文書の仕掛品を示す平面図である。
【図２Ｂ】更に後の工程における仕掛品を示す平面図である。
【図２Ｃ】図１に示したスクラッチオフ文書の完成品を示す平面図である。
【図３】本発明の一実施形態に係り情報印刷済基材、障壁層及びトナー層を有するスクラッチオフ文書を示す断面図である。
【図４Ａ】図３に示したスクラッチオフ文書の仕掛品を示す平面図である。
【図４Ｂ】図３に示したスクラッチオフ文書の完成品を示す平面図である。
【図５】本発明の一実施形態に係るスクラッチオフ文書製造方法の流れを示すフローチャートである。
【符号の説明】
【００３９】
１０，７０  スクラッチオフ文書、２０，８０  基材、３０，６０，１００  トナー層、４０，９０  秘匿対象情報表記部分、５０，１０５  障壁層、２００  スクラッチオフ文書製造方法、２１０  基材準備秘匿対象情報表記ステップ、２２０  障壁層被着ステップ、２３０  トナー層被着ステップ。
【図１】
2007320311.tif 000003
【図２Ａ】
2007320311.tif 000004
【図２Ｂ】
2007320311.tif 000005
【図２Ｃ】
2007320311.tif 000006
【図３】
2007320311.tif 000007
【図４Ａ】
2007320311.tif 000008
【図４Ｂ】
2007320311.tif 000009
【図５】
2007320311.tif 000010